(57)【特許請求の範囲】
【請求項１】
本体に対して刃ブロックが傾斜している電気かみそりであって、刃ブロックの刃体を駆動するモータのモータセンター線が本体の本体センター線と刃ブロックの刃ブロックセンター線とに対してそれぞれ非平行となり且つ本体センター線に対するモータセンター線の傾斜角度が本体センター線に対する刃ブロックセンター線の傾斜角度よりも小さくなるようにモータが本体に対して傾斜して組み込まれて成ることを特徴とする電気かみそり。
【請求項２】
本体と刃ブロックとの間に配設する防水板の板面が刃ブロックセンター線とモータセンター線との各垂直線に対してそれぞれ非平行となり且つモータセンター線の垂直線に対する板面の傾斜角度が刃ブロックセンター線の垂直線に対する板面の傾斜角度よりも小さくなるように防水板を本体に対して傾斜させて成ることを特徴とする請求項１記載の電気かみそり。
【請求項３】
モータと本体の間に押さえ部材を設けて成ることを特徴とする請求項１記載の電気かみそり。
【請求項４】
押さえ部材とはモータを挟んで反対側に基台を配設し、基台に接続端子ブロックを取付け、押さえ部材に接続端子ブロックを位置決めする位置決め部を形成して成ることを特徴とする請求項３記載の電気かみそり。
【請求項５】
本体の側部にきわ剃り用のトリマ刃を突出する使用状態と格納する格納状態とに変更可能に設け、トリマ刃の先端部の表裏両面に使用状態を表示する表示部を設けて成ることを特徴とする請求項１記載の電気かみそり。
【発明の詳細な説明】
【０００１】
【発明の属する技術分野】
本発明は、電気かみそりに関し、詳しくは、本体に対して傾斜している刃ブロックにおける刃体の駆動を安定的におこない、それでいて、握りやすく持ちやすく、デザイン性も高めようとする技術に係るものである。
【０００２】
【従来の技術】
従来、本体Ａに対して刃ブロックＢが傾斜している電気かみそりにおいて、図８に示すように、刃ブロックＢの複数の刃体（内刃）１８を駆動するモータ２６はモータセンター線ｃが本体Ａの本体センター線ａに対して略平行になるように組み込まれるものがある。
【０００３】
又、他の従来例として、図１０に示すように、刃ブロックＢの刃体（内刃）１８を駆動するモータ２６は刃ブロックＢの刃ブロックセンター線ｂに対して略平行になるように組み込まれるものがある。
【０００４】
【発明が解決しようとする課題】
ところで、図１０に示すように、モータセンター線ｃを刃ブロックセンター線ｂに略平行にする構成においては、図示するように、屈曲部位イが下がったり、本体Ａの屈曲部位イとは反対側の部位ロが膨らみ、或いは、本体Ａの厚さが厚くなってグリップ部ハを握り難くなり、デザイン性を損なう等という問題があった。
【０００６】
更に、図１２に示すように、本体Ａの正面のスイッチ１０の上部に使用時に親指を置く指置きニを形成する場合に、指置きニの形状を親指のラウンド（丸み）形状にすると、内刃駆動桿２をモータセンター線ｃより傾斜側に大きくずらす必要があり、刃体１８の駆動点４６とモータ２６による駆動子６の駆動点４８の間で回転力が発生して内刃駆動性能を低下させたり、振動が大きくなるという問題がある。
【０００７】
本発明はこのような問題に鑑みてなされたものであり、駆動伝動のアンバランスを軽減し、本体の屈曲位置が下がることがなく、背面側が膨らむこともなく、本体を厚くしなくてもよく、グリップ部の握りやすさを高め、デザイン性を高めることができる電気かみそりを提供することを課題とするものである。
【０００８】
【課題を解決するための手段】
請求項１においては、本体Ａに対して刃ブロックＢが傾斜している電気かみそりであって、刃ブロックＢの刃体１８を駆動するモータ２６のモータセンター線ｃが本体Ａの本体センター線ａと刃ブロックＢの刃ブロックセンター線ｂとに対してそれぞれ非平行となり且つ本体センター線ａに対するモータセンター線ｃの傾斜角度が本体センター線ａに対する刃ブロックセンター線ｂの傾斜角度よりも小さくなるようにモータ２６が本体Ａに対して傾斜して組み込まれていることを特徴とするものである。このような構成によれば、モータセンター線ｃが本体センター線ａと刃ブロックセンター線ｂとに対してそれぞれ非平行となり且つ本体センター線ａに対するモータセンター線ｃの傾斜角度が本体センター線ａに対する刃ブロックセンター線ｂの傾斜角度よりも小さくなっていて、例えば、刃ブロックＢにおいて刃ブロックセンター線ｂの両側に刃体１８、１８が存在する電気かみそりにおいては、モータセンター線ｃを本体センター線ａに略平行にする場合のように、両刃体１８、１８の駆動にアンバランスが生じるのを軽減することができ、駆動を安定化させることができ、又、モータセンター線ｃが刃ブロックセンター線ｂに略平行にする場合のように、本体Ａの屈曲部位が下がったり、本体Ａの屈曲部位とは反対側の部位が膨らんだり、或いは、本体Ａの厚さが厚くなってグリップ部を握り難くなるようなことがなく、刃ブロックＢを本体Ａに対して傾斜させながら、デザイン性を高めることができ、商品価値を高めることができるという利点がある。
【０００９】
請求項２においては、本体Ａと刃ブロックＢとの間に配設する防水板１の板面ｇが刃ブロックセンター線ｂとモータセンター線ｃとの各々の垂直線ｄ、fに対してそれぞれ非平行となり且つモータセンター線ｃの垂直線fに対する板面ｇの傾斜角度が刃ブロックセンター線ｂの垂直線ｄに対する板面ｇの傾斜角度よりも小さくなるように防水板１を本体Ａに対して傾斜させていることを特徴とするものである。
【００１０】
防水板１が本体Ａに対して大きく傾斜する場合には、例えば、本体Ａ側にねじ止めされる防水板１によるパッキン状の駆動子防水ゴム３５の外周部３６への押圧力を一様に強くすることが困難になり、防水の信頼性が低下するのであり、又、防水板１を本体センター線ａに垂直にする場合には、例えば、刃ブロックＢにおいて刃ブロックセンター線ｂの両側に刃体１８、１８が存在する電気かみそりで、モータセンター線ｃを本体センター線ａに略平行にする構成となるのであり、両刃体１８、１８の駆動にアンバランスが生じるのであるが、請求項２の発明においては、防水板１の板面ｇが刃ブロックセンター線ｂとモータセンター線ｃとの各々の垂直線ｄ、ｆに対してそれぞれ非平行となり且つモータセンター線ｃの垂直線fに対する板面ｇの傾斜角度が刃ブロックセンター線ｂの垂直線ｄに対する板面ｇの傾斜角度よりも小さくなっているから、防水板１を本体Ａに対して傾斜させながら、防水板１による例えば駆動子防水ゴム３５への押圧力をその周部において安定化させ、防水の信頼性を高めることができる。
【００１１】
請求項３においては、モータ２６と本体Ａの間に押さえ部材５０を設けていることを特徴とするものである。このような構成によれば、本体Ａに対して傾斜させて組み込んだモータ２６を押さえ部材５０にて押さえてモータ２６のがたつきを防止することできる。
【００１２】
請求項４においては、押さえ部材５０とはモータ２６を挟んで反対側に基台１２を配設し、基台１２に接続端子ブロック２０を取付け、押さえ部材５０に接続端子ブロック２０を位置決めする位置決め部２１を形成していることを特徴とするものである。このような構成によれば、モータ２６を押さえる押さえ部材５０によって基台２１側の接続端子ブロック２０の位置決めをおこなうことができ、モータ２６側の通電端子５３と接続端子ブロック２０との位置関係を一定にすることができ、接続圧力を一定にすることができる。
【００１３】
請求項５においては、本体Ａの側部にきわ剃り用のトリマ刃１１を突出する使用状態と格納する格納状態とに変更可能に設け、トリマ刃１１の先端部の表裏両面に使用状態を表示する表示部５５を設けていることを特徴とするものである。このような構成によれば、トリマ刃１１の使用状態の表示を表裏両面から確認することができ、例えば、トリマ刃１１にて他者の際剃りをおこなうなどの場合に使いやすくなる。
【００１４】
【発明の実施の形態】
以下、本発明の実施の形態を説明する。図１は全体断面図である。図２は正面図である。図４は分解斜視図である。
【００１５】
本体Ａを構成する本体ケース２５は上下両端が開口する略筒状となっていて下端開口に下蓋１４が、上端開口に上蓋１３が取付けられ、本体ケース２５の内部にモータ２６及び蓄電池２７を保持する基台１２が配設されている。モータ２６の出力軸に駆動子６、７が連結されて回転運動を往復運動に変換し、駆動子６、７より内刃駆動桿２、３が上蓋１３を貫通して斜めに立設され、内刃駆動桿２、３の先端部にユニット化された刃体（内刃）１８が連結されている。上蓋１３に外刃フレーム固定部材１７を載置し、外刃フレーム固定部材１７の上に防水板１を載置し、防水板１を貫通する上ねじ３４を基台１２にねじ込むことで、外刃フレーム固定部材１７を本体Ａ側に取付けている。外刃フレーム固定部材１７に外刃フレーム１６が操作釦４０の操作によって取外し自在に取付けられ、外刃フレーム１６に外刃ユニット２８が着脱自在に取付けられている。
【００１６】
本体ケース２５の背面には、きわ剃り刃用のトリマ刃１１が略長手方向にスライド自在に装着され、トリマ刃１１を上方向にスライドさせた時に内刃駆動桿３に取付けられたトリマ駆動桿１５とトリマ駆動子２９のボスが嵌合し、トリマ刃１１に駆動力を伝達するようにしている。
【００１７】
本体ケース２５の正面には、長手方向にスライド自在としたスイッチ１０が配設され、スイッチ１０のスライド変位を回転変位に変換するスイッチカム３０が、本体ケース２５の貫通孔３１を通じて本体ケース２５の内部の基台１２に回転自在に取付けられたカムレバー３２に係合することにより、カムレバー３２の回転変位がさらに基台１２にスライド自在に取付けられたスイッチプレート３３をスライドさせることにより接点の開閉をおこなうものである。
【００１８】
刃体１８及び外刃ユニット２８等にて構成された刃ブロックＢは本体Ａに対して傾斜している。この場合、刃ブロックＢの刃体１８を駆動するモータ２６のモータセンター線ｃが本体センター線ａと刃ブロックセンター線ｂとの中間に位置するようにモータ２６が本体Ａに対して傾斜して組み込まれているのである。
【００１９】
このように、モータセンター線ｃが本体センター線ａと刃ブロックセンター線ｂとの中間に位置していて、図１の実施の形態のように、刃ブロックＢにおいて刃ブロックセンター線ｂの両側に刃体１８、１８が存在する電気かみそりにおいては、モータセンター線ｃを本体センター線ａに略平行にする場合に比べて、トリマ刃１１側の内刃駆動桿３の刃体１８までの駆動点４６までの長さを短くすることができ、結果として、両駆動桿２、３の長さを近づけることができて、駆動伝動部４、５の内刃振幅、振動等に対するアンバランスが生じるのを軽減することができ、駆動を安定化させることができるのである。
【００２０】
又、例えば、モータセンター線ｃが刃ブロックセンター線ｂに略平行にする場合のように、本体Ａの屈曲部位が下がったり、本体Ａの屈曲部位とは反対側の部位が膨らんだり、或いは、本体Ａの厚さが厚くなってグリップ部を握り難くなるようなことがなく、刃ブロックＢを本体Ａに対して傾斜させながら、デザイン性を高めることができるのであり、商品価値を高めることができるのである。
【００２１】
上蓋１３の上方に配設される防水板１に上ねじ３４を貫通して本体ケース２５に配設している基台１２にねじ込むことで防水板１が本体Ａ側に取付けられるのであり、このことによって、内刃駆動桿２、３を緊迫してシールを図っている駆動子防水ゴム３５の外周部３６が防水板１と上蓋１３によって圧縮されて充分な防水を図るものである。
【００２２】
この場合、本体Ａと刃ブロックＢとの間に配設する防水板１の板面ｇが刃ブロックセンター線ｂとモータセンター線ｃとの各々の垂直線ｄ、ｆの中間に位置するように防水板１が本体Ａに対して傾斜させているのである。
【００２３】
ところで、防水板１が本体Ａに対して大きく傾斜する場合には、例えば、本体Ａ側にねじ止めされる防水板１によるパッキン状の駆動子防水ゴム３５の外周部３６への押圧力を一様に強くすることが困難になり、防水の信頼性が低下するのであり、又、防水板１を本体センター線ａに垂直にする場合には、例えば、刃ブロックＢにおいて刃ブロックセンター線ｂの両側に刃体１８、１８が存在する電気かみそりで、モータセンター線ｃを本体センター線ａに略平行にする構成となるのであり、両刃体１８、１８の駆動にアンバランスが生じるのであるが、防水板１の板面ｇが刃ブロックセンター線ｂとモータセンター線ｃとの各々の垂直線ｄ、ｆの中間に位置していることから、防水板１を本体Ａに対して傾斜させながら、防水板１による例えば駆動子防水ゴム３５への押圧力をその周部において安定化させ、防水の信頼性を高めることができるのである。
【００２４】
更に、モータ２６と本体Ａの間に押さえ部材５０を設けていて、本体Ａに対して傾斜させて組み込んだモータ２６を押さえ部材５０にて押さえてモータ２６のがたつきを防止することできるのである。
【００２５】
しかも、押さえ部材５０とはモータ２６を挟んで反対側に基台１２を配設し、基台１２に接続端子ブロック２０を取付け、押さえ部材５０に接続端子ブロック２０を位置決めする位置決め部２１としての凹部５１を形成していることから、モータ２６を押さえる押さえ部材５０によって基台２１側の接続端子ブロック２０の位置決めをおこなうことができ、又、押さえ部材５０の凹部５１に接続端子ブロック２０の一端部２０ａを挿入することで、モータ２６側の通電端子５３と接続端子ブロック２０との位置関係を一定にすることができ、接続圧力を一定にすることができるのである。
【００２６】
又、本体Ａの側部にきわ剃り用のトリマ刃１１を突出する使用状態と格納する格納状態とに変更可能に設け、トリマ刃１１の先端部の表裏両面に使用状態を表示する表示部５５を設けていることから、トリマ刃１１の使用状態の表示を表裏両面から確認することができ、例えば、トリマ刃１１にて他者の際剃りをおこなうなどの場合に使いやすくなるのである。表示部５５としては、例えば、着色を施すなど種々の形態がある。
【００２７】
尚、本発明の実施の形態の刃ブロックＢは、刃ブロックセンター線ｂの両側に独立して往復運動する駆動子６、７を備えた複数の刃体１８、１８を備えているが、刃体１８が単独で刃ブロックセンター線ｂを中心に回転する形態のものでもよいものである。
【００２８】
【発明の効果】
請求項１においては、本体に対して刃ブロックが傾斜している電気かみそりであって、刃ブロックの刃体を駆動するモータのモータセンター線が本体の本体センター線と刃ブロックの刃ブロックセンター線とに対してそれぞれ非平行となり且つ本体センター線に対するモータセンター線の傾斜角度が本体センター線に対する刃ブロックセンター線の傾斜角度よりも小さくなるようにモータが本体に対して傾斜して組み込まれているから、モータセンター線が本体センター線と刃ブロックセンターとに対してそれぞれ非平行となり且つ本体センター線に対するモータセンター線の傾斜角度が本体センター線に対する刃ブロックセンター線の傾斜角度よりも小さくなっていて、例えば、刃ブロックにおいて刃ブロックセンターの両側に刃体が存在する電気かみそりにおいては、モータセンター線を本体センター線に略平行にする場合のように、両刃体の駆動にアンバランスが生じるのを軽減することができ、駆動を安定化させることができ、又、モータセンター線が刃ブロックセンターに略平行にする場合のように、本体の屈曲部位が下がったり、本体の屈曲部位とは反対側の部位が膨らんだり、或いは、本体の厚さが厚くなってグリップ部を握り難くなるようなことがなく、刃ブロックを本体に対して傾斜させながら、デザイン性を高めることができ、商品価値を高めることができるという利点がある。
【００２９】
請求項２においては、請求項１の効果に加えて、本体と刃ブロックとの間に配設する防水板の板面が刃ブロックセンター線とモータセンター線との各々の垂直線に対してそれぞれ非平行となり且つモータセンター線の垂直線に対する板面の傾斜角度が刃ブロックセンター線の垂直線に対する板面の傾斜角度よりも小さくなるように防水板を本体に対して傾斜させているから、防水板を本体に対して傾斜させながら、防水板による例えば駆動子防水ゴムへの押圧力をその周部において安定化させ、防水の信頼性を高めることができるという利点がある。
【００３０】
請求項３においては、モータと本体の間に押さえ部材を設けているから、請求項１の効果に加えて、本体に対して傾斜させて組み込んだモータを押さえ部材にて押さえてモータのがたつきを防止することできるという利点がある。
【００３１】
請求項４においては、請求項３の効果に加えて、押さえ部材とはモータを挟んで反対側に基台を配設し、基台に接続端子ブロックを取付け、押さえ部材に接続端子ブロックを位置決めする位置決め部を形成しているから、モータを押さえる押さえ部材によって基台側の接続端子ブロックの位置決めをおこなうことができ、モータ側の通電端子と接続端子ブロックとの位置関係を一定にすることができ、接続圧力を一定にすることができるという利点がある。
【００３２】
請求項５においては、請求項１の効果に加えて、本体の側部にきわ剃り用のトリマ刃を突出する使用状態と格納する格納状態とに変更可能に設け、トリマ刃の先端部の表裏両面に使用状態を表示する表示部を設けているから、トリマ刃の使用状態の表示を表裏両面から確認することができ、例えば、トリマ刃にて他者の際剃りをおこなうなどの場合に使いやすくなるという利点がある。
【図面の簡単な説明】
【図１】本発明の実施の一形態の全体断面図である。
【図２】同上の正面図である。
【図３】同上の背面図である。
【図４】同上の分解斜視図である。
【図５】同上の部分斜視図である。
【図６】同上の部分断面図である。
【図７】同上の部分断面図である。
【図８】従来例の断面図である。
【図９】同上の一部破断した正面図である。
【図１０】同上の他の従来例の断面図である。
【図１１】同上の一部破断した斜視図である。
【図１２】同上の更に他の従来例の断面図である。
【図１３】同上の正面図である。
【符号の説明】
１    防水板
１１  トリマ刃
１８  刃体
２６  モータ
５０  押さえ部材
Ａ    本体
Ｂ    刃ブロック
ａ    本体センター線
ｂ    刃ブロックセンター
ｃ    モータセンター線
【図１】
0004496675.tif 000002
【図２】
0004496675.tif 000003
【図３】
0004496675.tif 000004
【図４】
0004496675.tif 000005
【図５】
0004496675.tif 000006
【図６】
0004496675.tif 000007
【図７】
0004496675.tif 000008
【図８】
0004496675.tif 000009
【図９】
0004496675.tif 000010
【図１０】
0004496675.tif 000011
【図１１】
0004496675.tif 000012
【図１２】
0004496675.tif 000013
【図１３】
0004496675.tif 000014